(57)【特許請求の範囲】
【請求項１】
重ね合わせることが可能な対向する面を持ち、該面と直交する方向に互いに対向する少なくとも一対の面を有する形状の包装体を、前記重ね合わせることが可能な面で、前記少なくとも一対の面が揃うように複数個重ね合わせると共に前記少なくとも一対の面に帯状体をその貼付方向が前記重ね合わせることが可能な対向する面と直交する方向となるように貼付することにより結束した集積包装製品であって、前記帯状体は、前記貼付方向において、前記集積包装製品を構成する複数個重ね合わされた包装体のうち一方の端に配置された包装体の一対の面の内側を起点とし、前記集積包装製品を構成する複数個重ね合わされた包装体のうち他方の端に配置された包装体の一対の面の内側を終点とするものであり、前記貼付方向と直交する幅方向において、前記包装体を一つずつ分離することができるように前記帯状体における包装体間の略境界となる箇所に切り取り手段が形成されているものであり、前記貼付方向及び幅方向と直交する厚み方向において、前記包装体と直に接触する側に粘着剤層を備えると共に、該粘着剤層と反対側に剥離層を備えていることを特徴とする集積包装製品。
【請求項２】
前記帯状体が、紙層の両面に低密度ポリエチレン層を積層した積層体の前記一方の低密度ポリエチレン層に前記剥離層を備えると共に前記他方の低密度ポリエチレン層に前記粘着剤層を備えるものであり、前記切り取り手段が前記紙層に形成された構成であることを特徴とする請求項１記載の集積包装製品。
【請求項３】
前記帯状体が、２軸延伸ポリエステルフィルムに紙層を積層した積層体の前記２軸延伸ポリエステルフィルムに前記剥離層を備えると共に前記紙層に前記粘着剤層を備えるものであり、前記切り取り手段が前記２軸延伸ポリエステルフィルムの前記紙層と反対側の面から前記紙層側に向かって前記２軸延伸ポリエステルフィルムを貫通するように形成された構成であることを特徴とする請求項１記載の集積包装製品。
【請求項４】
前記粘着剤層が前記複数個重ね合わせた包装体の境界部と対応する箇所には形成されていないことを特徴とする請求項１乃至請求項３のいずれかに記載の集積包装製品。
【発明の詳細な説明】
【０００１】
【発明の属する技術分野】
本発明は、食品等の内容物を個包装した包装袋からなる製品ないし紙箱等に内容物が収納された包装体を複数個纏めて一括販売するための集積包装製品に関する。
【０００２】
【従来の技術】
従来、スーパーマーケット等で食品等を個包装した包装体を複数個纏めて包装袋に収納するなり、あるいは、シュリンク包装するなりして販売する形態が多々採用されている。たとえば、ピロー包装袋に個包装した即席乾麺（インスタントラーメン）等の製品を５個を一つの単位としてピロー包装袋等の外装材で集積包装（図12参照）し、価格等のバーコード表示ラベルを貼付して販売する形態などがこれに当たる。こういった販売形態は、販売者にとっては販売量を増やす利点があり、また、購入者にとっては１個当たりの購入価格が安くなる利点があり、今後もこういった販売形態が増大する方向にある。
【０００３】
しかし、こういった包装形態は、印象として過剰包装であることは否めず、また、外装材を開封して一度に全個数使用する場合には問題を生じることはないが、たとえば、一部だけ使用する場合には残った製品がばらけるために保存する際等の取扱いが結構面倒であるといった問題や、また、今後の問題として集積包装するための外装材に容器包装リサイクル法で発生するリサイクル費用がかかることが想定されるなどの種々の問題を抱えた包装形態であった。
【０００４】
【発明が解決しようとする課題】
そこで本発明は、上記問題を解決するためになしたものであって、過剰包装である印象を払拭することができ、一部使用後の未使用製品の取扱いが容易で、外装材のリサイクル費用についても軽減することができる集積包装製品を安価に提供することにある。
【０００５】
【課題を解決するための手段】
本発明者等は、上記目的を達成するために研究を重ねて結果、請求項１記載の発明の集積包装製品は、重ね合わせることが可能な対向する面を持ち、該面と直交する方向に互いに対向する少なくとも一対の面を有する形状の包装体を、前記重ね合わせることが可能な面で、前記少なくとも一対の面が揃うように複数個重ね合わせると共に前記少なくとも一対の面に帯状体をその貼付方向が前記重ね合わせることが可能な対向する面と直交する方向となるように貼付することにより結束した集積包装製品であって、前記帯状体は、前記貼付方向において、前記集積包装製品を構成する複数個重ね合わされた包装体のうち一方の端に配置された包装体の一対の面の内側を起点とし、前記集積包装製品を構成する複数個重ね合わされた包装体のうち他方の端に配置された包装体の一対の面の内側を終点とするものであり、前記貼付方向と直交する幅方向において、前記包装体を一つずつ分離することができるように前記帯状体における包装体間の略境界となる箇所に切り取り手段が形成されているものであり、前記貼付方向及び幅方向と直交する厚み方向において、前記包装体と直に接触する側に粘着剤層を備えると共に、該粘着剤層と反対側に剥離層を備えていることを特徴とするものである。
【０００７】
請求項１に記載のように構成することにより、過剰包装である印象を払拭することができ、一部使用後の未使用製品もばらけることがなくて取扱いが容易であり、また、外装材の使用量、廃棄量を少なくすることができ、安価な集積包装製品とすることができる。
【０００８】
また、請求項２記載の発明は、請求項１記載の集積包装製品において、前記帯状体が、紙層の両面に低密度ポリエチレン層を積層した積層体の前記一方の低密度ポリエチレン層に前記剥離層を備えると共に前記他方の低密度ポリエチレン層に前記粘着剤層を備えるものであり、前記切り取り手段が前記紙層に形成された構成であることを特徴とするものである。このように構成することにより、落下等の不慮の外力に対しては切れ難く、集積包装製品から包装体を分離するという意識操作により集積包装製品から包装体を一つずつ容易に取り出すことができる。
【０００９】
また、請求項３記載の発明は、請求項１記載の集積包装製品において、前記帯状体が、２軸延伸ポリエステルフィルムに紙層を積層した積層体の前記２軸延伸ポリエステルフィルムに前記剥離層を備えると共に前記紙層に前記粘着剤層を備えるものであり、前記切り取り手段が前記２軸延伸ポリエステルフィルムの前記紙層と反対側の面から前記紙層側に向かって前記２軸延伸ポリエステルフィルムを貫通するように形成された構成であることを特徴とするものである。
【００１０】
また、請求項４記載の発明は、請求項１乃至請求項３のいずれかに記載の集積包装製品において、前記粘着剤層が前記複数個重ね合わせた包装体の境界部と対応する箇所には形成されていないことを特徴とするものである。このように構成することにより、集積包装製品に貼付された帯状体の粘着剤層が露出した部分に埃や塵埃が付着するのを防止することができるために集積包装製品の清潔感を向上することができる。
【００３２】
【発明の実施の形態】
上記の本発明について、図面等を用いて以下に詳述する。
図１は本発明にかかる集積包装製品の一実施例を示す斜視図、図２は本発明にかかる集積包装製品に用いる帯状体の第１の実施形態を示す平面図、図３は本発明にかかる集積包装製品に用いる帯状体の第２の実施形態を示す平面図、図４は本発明にかかる集積包装製品に用いる帯状体の第３の実施形態を示す平面図、図５は本発明にかかる集積包装製品に用いる帯状体の第４の実施形態を示す平面図、図６は本発明にかかる集積包装製品に用いる帯状体の第５の実施形態を示す平面図、図７は本発明にかかる集積包装製品に用いる帯状体の第６の実施形態を示す平面図、図８は図７のＸ−Ｘ線の断面図、図９は本発明にかかる集積包装製品に用いる帯状体の第７の実施形態を示す平面図、図10は本発明にかかる集積包装製品に用いる帯状体の第８の実施形態を示す図８に対応する断面図、図11は本発明にかかる集積包装製品の他の実施例を示す斜視図、図12は従来の集積包装製品の一実施例を示す斜視図であり、図中の１，１’，10は集積包装製品、２は製品、３，３’，３''，３''' ，30，31，32，33，34は帯状体、４，４’，４''，４''' はミシン目、５，５’は切欠、６は傷痕帯、６’は傷痕群、７は把手、８はハーフカット、９は突出部、90，90’は積層体、91は剥離層、92は２軸延伸ポリエステルフィルム、93は両面コート紙、94は粘着剤層、95は片アート紙、96は低密度ポリエチレンをそれぞれ示す。
【００３３】
図１は本発明にかかる集積包装製品の一実施例を示す斜視図であって、集積包装製品１は、ピロータイプの包装袋に略直方体形状に成形された、たとえば、即席ラーメン等の内容物（図示せず）を収納した製品２を複数個（図１においては５個）重ね合わせ、重ね合わせた複数個（図１においては５個）の製品２の両側面に帯状体３、３を貼付（図１においては上側のみ図示）して、重ね合わせた複数個（図１においては５個）の製品２を一体固定したものである。
【００３４】
これに用いる前記帯状体３の基材としては、重ね合わせた複数個（図１においては５個）の製品２を一体固定できるものであれば特に限定する必要はなく、たとえば、上質紙、コート紙、クラフト紙、合成紙、あるいは、これらにアルミニウム箔等の金属箔を貼合した箔紙ないしこれらにアルミニウム等の金属を蒸着した金属蒸着紙、あるいは、熱可塑性樹脂からなる合成樹脂ないし合成樹脂製シートの１種ないし２種以上を積層した積層体、あるいは、これらを適宜組み合わせた積層体等を挙げることができる。また、前記帯状体３は前記基材の一方の面（裏面）に感圧接着剤（粘着剤）層を形成したタックラベルがより好適である。この理由としては、ラベリングマシーンを用いて重ね合わせた複数個（図１においては５個）の製品２の両側面にタックラベルを貼付（図１においては上側のみ図示）するだけで一体固定された集積包装製品１を容易に得ることができるからである。
【００３５】
また、前記感圧接着剤（粘着剤）層を形成する感圧接着剤（粘着剤）としては、天然ゴム、スチレン−ブタジエンラテックス、スチレン−イソプレンブロック共重合体、再生ゴム、合成ゴム等のゴム系、アクリル系、シリコーン系等の周知の粘着剤を挙げることができ、これらを用いて前記感圧接着剤（粘着剤）層を形成するには、これらの粘着剤を溶剤型、水性エマルジョン型、ホットメルト型、液状硬化型等の形状でロールコート法、グラビア印刷法、溶融押出し法等の周知の塗工法で前記帯状体３を形成する前記基材の一方の面に塗工することにより容易に設けることができ、塗工厚さとしては15〜50μｍが適当である。
【００３６】
なお、本発明に用いるタックラベルとしては、使用する時まで前記感圧接着剤（粘着剤）層を保護するために通常設けられるセパレート紙のない、すなわち、前記帯状体３を形成する前記基材の他方の面にシリコーンを塗工して剥離層を形成したセロハンテープのようにロール状に構成されたものを用いる。この理由としては、タックラベルを使用する現場での廃棄物削減（セパレート紙を用いたタックラベルは、使用後にセパレート紙が廃棄物となる）に繋げるためである。
【００３７】
次に、タックラベルからなる帯状体３について、図１の集積包装製品１を例に挙げて、さらに詳しく説明する。
図２は本発明にかかる集積包装製品に用いる帯状体の第１の実施形態を示す平面図であって、帯状体３’には、図１に示すように製品２を５個重ね合わせて両側面に貼付した集積包装製品１の製品２間の略境界部となる４箇所にミシン目４からなる切り取り手段が形成されている。これにより、前記集積包装製品１から製品２を一つずつ容易に分離することができる。なお、前記ミシン目４は前記帯状体３’の対向する端縁に前記ミシン目４の非切断部が位置するように構成することにより、前記帯状体３’の対向する端縁に前記ミシン目４の切断部が位置するように構成した場合に比べて衝撃等の予期せぬ外力に対して前記ミシン目４からの切断を防止することができる。
【００３８】
図３は本発明にかかる集積包装製品に用いる帯状体の第２の実施形態を示す平面図であって、帯状体３''には、図１に示すように製品２を５個重ね合わせて両側面に貼付した集積包装製品１の製品２間の略境界部となる４箇所に前記帯状体３''の対向する端縁に一対のＵ字形状の切欠５と該一対のＵ字形状の切欠５を結ぶ１本のミシン目４’とからなる切り取り手段が形成されている。これにより、前記集積包装製品１から製品２を一つずつ容易に分離することができる。また、図示はしないが、前記帯状体３''の対向する端縁に一対のＵ字形状の切欠５のみを形成したものであっても構わない。なお、切欠５はＵ字形状に限ることはなく、Ｖ字形状等の多角形状であってもよいし、また、半円形状や楕円形状であってもよい。
【００３９】
また、図２、３においては、前記帯状体３’、３''の前記集積包装製品１の製品２間の略境界部となる４箇所に対応して、前記ミシン目４からなる切り取り手段ないし前記一対のＵ字形状の切欠５と該一対のＵ字形状の切欠５を結ぶ１本のミシン目４’とからなる切り取り手段を１対１で設けたが、前記帯状体３’、３''の貼付位置のズレを考慮して、１箇所に複数の切り取り手段を設けてもよいのであって、たとえば、図４に示すように前記集積包装製品１の製品２間の略境界部となる４箇所に対応して、複数のミシン目４''（図４においては３本のミシン目）を端縁に非切断部が位置するように設けた帯状体３''' であっても構わない。
【００４０】
図５は本発明にかかる集積包装製品に用いる帯状体の第４の実施形態を示す平面図であって、帯状体30には、図１に示すように製品２を５個重ね合わせて両側面に貼付した集積包装製品１の製品２間の略境界部となる４箇所に前記帯状体30の対向する一方の端縁にＶ字形状の切欠５’と他方の端縁に前記Ｖ字形状の切欠５’と合同形状のＶ字形状突出部９とからなる切り取り手段が形成されている。これにより、前記集積包装製品１から製品２を一つずつ分離する際に、一方側（切欠５’側）からのみ容易に分離することができるように構成することができる。また、切り取り手段をこのように構成することにより、たとえば、前記切欠５’を設けた端縁と直交する方向に長尺なロール状のものを部分的にＶ字形状とした断裁刃で定寸法に切断することにより容易に帯状体30を作製することができるために、図３に示した本発明の第２の実施形態の帯状体３''に比べて加工工数を低減することができ、それだけ安価なものとすることができる。なお、前記切欠５’についてもＶ字形状に限ることなく、Ｕ字形状や半円形状、楕円形状であってもよいが、断裁刃の容易さからすると、Ｖ字形状が適当である。また、図５においては、集積包装製品１の製品２間の略境界部となる４箇所に対応して前記切欠５’と前記突出部９を一つずつ設けた実施例を示したが、図示はしないが複数個設けた構成としてもよいし、また、前記切欠５’と前記突出部９とを結ぶ少なくとも１本のミシン目、および／ないし、少なくとも１本のハーフカットを設けた構成としてもよい。
【００４１】
図６は本発明にかかる集積包装製品に用いる帯状体の第５の実施形態を示す平面図であって、帯状体31には、図１に示すように製品２を５個重ね合わせて両側面に貼付した集積包装製品１の製品２間の略境界部となる４箇所に前記帯状体31の対向する端縁を結ぶ多数の密集した傷痕帯６からなる切り取り手段が形成されている。これにより、前記集積包装製品１から製品２を一つずつ容易に分離することができる。この傷痕帯６の形成方法としては、特公昭61-39228号公報に開示されている方法により形成することができる。また、図示はしないが、前記傷痕帯６に替えて前記帯状体31の対向する端縁にのみ一対の傷痕群（形状については図９参照）を形成した帯状体としてもよい。
【００４２】
図７は本発明にかかる集積包装製品に用いる帯状体の第６の実施形態を示す平面図であって、帯状体32には、図１に示すように製品２を５個重ね合わせて両側面に貼付した集積包装製品１の製品２間の略境界部となる４箇所に前記帯状体32の対向する端縁を結ぶ１本のハーフカット８からなる切り取り手段が形成されている。この帯状体32としては、たとえば、12μｍの２軸延伸ポリエステルフィルム（以下、ＰＥＴと呼称する）92の一方の面に85ｇ／ｍ2 の両面コート紙93をウレタン系接着剤を用いて周知のドライラミネーション法で積層して積層体90となし、該積層体90の前記ＰＥＴ92側から前記ＰＥＴ92を切断するハーフカット８を形成し、その後に前記積層体90の前記ＰＥＴ92面にシリコーンを２ｇ／ｍ2 塗工して剥離層91を形成すると共に、前記積層体90の前記両面コート紙93面にアクリル系粘着剤を固形分として20μｍ厚さとなるように塗工して粘着剤層94を形成した図８に示すような構成を例示することができる。このように構成することにより、セパレート紙を前記粘着剤層94面に設けることなく、セロハンテープのようにロール状にすることができるために、集積包装製品を製造する現場でのゴミの発生量を減らすことができる（セパレート紙のゴミは皆無となる）。なお、このハーフカット８は、集積包装製品１の製品２間の略境界部となる４箇所に１本ずつ形成した例を示したが、これに限ることはなく、集積包装製品１の製品２間の略境界部となる４箇所に複数本ずつ形成してもよい。
【００４３】
図９は本発明にかかる集積包装製品に用いる帯状体の第７の実施形態を示す平面図であって、帯状体33には、図１に示すように製品２を５個重ね合わせて両側面に貼付した集積包装製品１の製品２間の略境界部となる４箇所に前記帯状体33の対向する端縁の内側に三角形状をした一対の傷痕群６’からなる切り取り手段が形成されている。この切り取り手段は、衝撃等の予期せぬ外力に対して切り取り手段が容易に切断するのを防止することができる。また、図示はしないが、前記一対の傷痕群６’と該傷痕群６’を結ぶ少なくとも１本のミシン目、および／ないし、少なくとも１本のハーフカットを形成した切り取り手段としても構わない。
【００４４】
図10は本発明にかかる集積包装製品に用いる帯状体の第８の実施形態を示す図８に対応する断面図であって、帯状体34は79.1g/m2の片アート紙95の図１に示すように製品２を５個重ね合わせて両側面に前記帯状体34を貼付したときに、製品２間の略境界部となる４箇所に各１本のミシン目４''' を形成して後に、前記片アート紙95の両面に20μｍ厚さの低密度ポリエチレン層96、96を設けた積層体90’となし、該積層体90’の一方の低密度ポリエチレン層96面にシリコーンを２g/m2塗工して剥離層91を形成すると共に、前記積層体90’の他方の低密度ポリエチレン層96面にアクリル系粘着剤を固形分として20μｍ厚さとなるように塗工して粘着剤層94を形成したものである。このように構成することにより、前記帯状体34は図７、８の第６の実施形態の帯状体32で説明した同じ効果を得ることができると共に、ミシン目４''' からなる切り取り手段を設けた前記片アート紙95の両面を低密度ポリエチレンで被覆したことにより、落下等の不慮の外力に対して切れ難く、かつ、切り取るという意識操作により集積包装製品から包装体を一つずつ容易に取り出すことができる帯状体とすることができる。なお、前記ミシン目４''' は１本に限ることなく複数本設けてもよいし、また、前記片アート紙95に設ける切り取り手段としてはミシン目に限ることはなく、本明細書に記載した他の切り取り手段のいずれのものも設けることができる。
【００４５】
また、図示はしないが、前記帯状体３、３’、３''、３''' 、30，31，32，33，34の前記集積包装製品１の製品２間の略境界部となる４箇所、すなわち、切り取り手段が設けられている場合には切り取り手段が設けられている箇所と対応するようになるが、該箇所を前記感圧接着剤（粘着剤）層が形成されないようにストライプ状に前記感圧接着剤（粘着剤）層が形成されたタックラベルを用いることにより、製品２と接着しない製品２間の境界部において、前記感圧接着剤（粘着剤）層にゴミや埃等が付着するのを防止することができ、集積包装製品の清潔感を向上させることができる。
【００４６】
ところで、今まで内容物として略直方体形状に成形された即席ラーメンをピロータイプの包装袋に収納した製品を例に挙げて説明してきたが、本発明の主旨を逸脱しない範囲の各種の内容物が包装袋に収納された製品、あるいは、各種の内容物が本発明の主旨を逸脱しない範囲の紙箱等に収納された包装容器からなる製品を複数個重ね合わせると共に、重ね合わせた面と直交する方向の対向する一対の面に帯状体を貼付することにより結束した集積包装製品はすべて本発明の範疇に属するものであること言うまでもないことである。
【００４７】
なお、図示はしないが、通常前記帯状体３、３’、３''、３''' 、30，31，32，33，34には、他方の面から見ることができるように商品名、価格等を示すバーコード表示や商品名、価格、製造年月日等が印刷ないし印字することにより設けられている。
【００４８】
以上説明したように、本発明の集積包装製品は従来のように包装袋等の外装材で集積包装する場合に比べて、極めて簡易な包装であり、過剰包装の印象を払拭することができると共に、前記帯状体は従来の外装材に比べて安価であり、結果として集積包装製品を安価にすることができ、また、前記帯状体は従来の包装袋等の外装材に比べて使用量も少なく、ゴミの発生量を減らすことができると共に資源の節約にも繋がる。また、本発明の集積包装製品から一部製品を使用に供するために分離しても、残った製品はばらけることなく保持されるために、保存等する場合の取扱いが極めて容易である。さらに、この帯状体は容器包装リサイクル法で発生するリサイクル費用においても、製品に貼付する価格等を表示する価格表示ラベルと同等の扱いになることが想定されるためにリサイクル費用を軽減することができるなど数々の優れた効果を奏するものである。
【００４９】
図10は本発明にかかる集積包装製品の他の実施例を示す斜視図であって、集積包装製品１’は、ピロータイプの包装袋に略直方体形状に成形された、たとえば、即席ラーメン等の内容物を収納した製品２を複数個重ね合わせ、重ね合わせた複数個の製品２の両側面に帯状体３、３（図示せず）を貼付して、重ね合わせた複数個の製品２を一体固定すると共に、一方の帯状体３に、適当な接着剤（図示せず）を用いてその一端を接着固定すると共に、他方の帯状体３（図示せず）に、同様に適当な接着剤（図示せず）を用いてその他端を接着固定して、帯状の把手７を設けたものである。このように構成した前記集積包装製品１’は、店頭において集積包装製品であることが一目で判別することができると共に、把手により強く人目を引くために、大きな訴求力のある製品となる。さらに、前記集積包装製品１’は、把手を掴むことで集積包装された製品を取り扱うことができるために、極めて取扱いが容易である。
【００５０】
前記帯状の把手７としては、集積包装製品の重量、見栄え等を勘案し、帯状に成形加工されたものであれば特に限定するものではないが、たとえば、ポリアミド、ポリエステル、ポリエチレン、ポリプロピレン等の熱可塑性樹脂からなる無延伸、ないし、一軸、あるいは、二軸方向に延伸されたフィルム、あるいは、不織布、あるいは、これらの１種ないし２種以上の積層体などを挙げることができる。また、上記フィルムは必要に応じて、コロナ放電処理等の易接着処理を施したものでもよい。また、前記帯状の把手７を前記帯状体３、３に接着固定する接着剤としては、把手７により集積包装製品を吊り下げた際に、集積包装製品を把手により保持できる接着強度のあるものであればよいのであって、特に限定するものではないが、たとえば、エチレン−酢酸ビニル共重合体系樹脂、アクリル系樹脂、ゴム系樹脂などのホットメルト型接着剤が好適である。
【００５１】
【発明の効果】
本発明の集積包装製品は、今まで縷々説明してきたように、過剰包装である印象を払拭することができ、一部使用後の未使用製品の取扱いが容易で、外装材の使用量や廃棄量を少なくすることができ、かつ、従来の集積包装製品に比べて安価にすることができるという優れた効果を奏するものである。
【図面の簡単な説明】
【図１】  本発明にかかる集積包装製品の一実施例を示す斜視図である。
【図２】  本発明にかかる集積包装製品に用いる帯状体の第１の実施形態を示す平面図である。
【図３】  本発明にかかる集積包装製品に用いる帯状体の第２の実施形態を示す平面図である。
【図４】  本発明にかかる集積包装製品に用いる帯状体の第３の実施形態を示す平面図である。
【図５】  本発明にかかる集積包装製品に用いる帯状体の第４の実施形態を示す平面図である。
【図６】  本発明にかかる集積包装製品に用いる帯状体の第５の実施形態を示す平面図である。
【図７】  本発明にかかる集積包装製品に用いる帯状体の第６の実施形態を示す平面図である。
【図８】  図７のＸ−Ｘ線の断面図である。
【図９】  本発明にかかる集積包装製品に用いる帯状体の第７の実施形態を示す平面図である。
【図１０】  本発明にかかる集積包装製品に用いる帯状体の第８の実施形態を示す図８に対応する断面図である。
【図１１】  本発明にかかる集積包装製品の他の実施例を示す斜視図である。
【図１２】  従来の集積包装製品の一実施例を示す斜視図である。
【符号の説明】
１，１’，10                集積包装製品
２                          製品
３，３’，３''，３'''       帯状体
30，31，32，33，34          帯状体
４，４’，４''，４'''       ミシン目
５，５’                    切欠
６                          傷痕帯
６’                        傷痕群
７                          把手
８                          ハーフカット
９                          突出部
90，90’                    積層体
91                          剥離層
92                          ２軸延伸ポリエステルフィルム
93                          両面コート紙
94                          粘着剤層
95                          片アート紙
96                          低密度ポリエチレン
【図１】
0004498556.tif 000002
【図２】
0004498556.tif 000003
【図３】
0004498556.tif 000004
【図４】
0004498556.tif 000005
【図５】
0004498556.tif 000006
【図６】
0004498556.tif 000007
【図７】
0004498556.tif 000008
【図８】
0004498556.tif 000009
【図９】
0004498556.tif 000010
【図１０】
0004498556.tif 000011
【図１１】
0004498556.tif 000012
【図１２】
0004498556.tif 000013